(57)【要約】【課題】電線被覆を小規模に剥がした後の電線の露出部分など、導電部分を効率よく且つ安全に絶縁するための絶縁パッチ及びその絶縁パッチが収容された収容ケースを提供する。【解決手段】絶縁パッチ１０は、文字等が印刷又は記入可能な表面層と、絶縁性を有する絶縁層と、粘着性を有する粘着層とが積層されてなり、例えば電線２０の被覆を小規模に剥がした後の電線の露出部に巻かれる。この絶縁パッチ１０は、長尺状のテープに剥離可能に貼付され、巻回された巻テープとして、収容ケースの内部に回転自在に保持される。【選択図】図２
2008053142.tif 000002
【特許請求の範囲】
【請求項１】
導電部分を絶縁するための絶縁パッチであって、
絶縁性を有する絶縁層と、
前記絶縁層に積層された粘着性を有する粘着層と、
を少なくとも有することを特徴とする絶縁パッチ。
【請求項２】
前記絶縁層の前記粘着層とは反対側に積層され、少なくとも文字が印刷又は記入可能な表面層を有することを特徴とする請求項１に記載の絶縁パッチ。
【請求項３】
前記絶縁層、前記粘着層、及び前記表面層は、伸縮性を有することを特徴とする請求項２に記載の絶縁パッチ。
【請求項４】
内部に収容空間を有する外装体と、
長尺状のテープが巻回され、前記収容空間に回転自在に保持された巻テープと、を備え、
前記長尺状のテープには、絶縁性を有する絶縁層と該絶縁層に積層された粘着性を有する粘着層とを少なくとも有し、導電部分を絶縁するための複数の絶縁パッチが剥離可能に貼付されている、
ことを特徴とする収容ケース。
【請求項５】
前記外装体の内部に格納された検電器と、
前記検電器を前記外装体の内部から没入させるスライダと、
を備えることを特徴とする請求項４に記載の収容ケース。
【請求項６】
前記巻テープの回転を規制するためのストッパと、
前記長尺状のテープを所望の長さで切り取るための切歯部と、
を備えることを特徴とする請求項４に記載の収容ケース。
【発明の詳細な説明】
【技術分野】
【０００１】
本発明は、例えば電線被覆を小規模に剥がした後の電線の露出部分など、導電部分を絶縁するための絶縁パッチ及びその絶縁パッチが収容された収容ケースに関する。
【背景技術】
【０００２】
被覆電線の検電や電圧電流測定、或いは他の電線との接続を行う際には、被覆電線の一部を小規模に剥がして、電線の導電部分を露出させることが多い。この場合、接続が完了した後に、露出した導電部分に対して再度絶縁処理を施す必要がある。
【０００３】
従来、電線の露出部分に対して絶縁処理を施す際には、絶縁テープを用いるのが一般的である（特許文献１，２を参照）。すなわち従来の絶縁方法では、図４に示すように、例えばビニル、ポリエステル、ポリエチレンのような絶縁材料からなる絶縁テープ１００を電線１１０の露出部分に多層に重ね巻きし、電工ナイフのような切断工具を用いてこの絶縁テープ１００を所望の長さで切り取ることにより、電線の露出部分に対して絶縁処理を施す。
【特許文献１】特開昭６０−９５８７４号公報
【特許文献２】特開平２−１０６１４号公報
【発明の開示】
【発明が解決しようとする課題】
【０００４】
しかしながら、このような絶縁テープを用いた従来の絶縁方法では、特に狭い場所など作業空間が確保できない場合には作業に比較的長い時間を要してしまうという問題があった。また、絶縁テープを所望の長さで切り取る際に電工ナイフなどを用いるため、危険を伴うという問題もあった。
【０００５】
本発明は、このような従来の実情に鑑みて提案されたものであり、電線被覆を小規模に剥がした後の電線の露出部分など、導電部分を効率よく且つ安全に絶縁するための絶縁パッチ及びその絶縁パッチが収容された収容ケースを提供することを目的とする。
【課題を解決するための手段】
【０００６】
本発明者らは、上述の目的を達成するため鋭意検討を重ねた結果、以下のような本発明を完成するに至った。
【０００７】
（１）  導電部分を絶縁するための絶縁パッチであって、絶縁性を有する絶縁層と、前記絶縁層に積層された粘着性を有する粘着層と、を少なくとも有することを特徴とする絶縁パッチ。
【０００８】
（１）の絶縁パッチは予め小片状に加工されているため、電工ナイフ等で切り取ることなく導電部分を絶縁することができる。
【０００９】
（２）  前記絶縁層の前記粘着層とは反対側に積層され、少なくとも文字が印刷又は記入可能な表面層を有することを特徴とする（１）に記載の絶縁パッチ。
【００１０】
（２）の絶縁パッチは、少なくとも文字が印刷又は記入可能な表面層をさらに有するため、その表面層に例えば注意事項等の文字を表示させることができる。
【００１１】
（３）  前記絶縁層、前記粘着層、及び前記表面層は、伸縮性を有することを特徴とする（２）に記載の絶縁パッチ。
【００１２】
（３）の絶縁パッチは伸縮性を有するため、例えば電線の露出部分を密に巻くことができる。
【００１３】
（４）  内部に収容空間を有する外装体と、長尺状のテープが巻回され、前記外装体の内部に回転自在に保持された巻テープと、を備え、前記長尺状のテープには、絶縁性を有する絶縁層と該絶縁層に積層された粘着性を有する粘着層とを少なくとも有し、導電部分を絶縁するための複数の絶縁パッチが剥離可能に貼付されている、ことを特徴とする収容ケース。
【００１４】
（４）の収納ケースは、長尺状のテープに複数の絶縁パッチが剥離可能に貼付され、そのテープが巻回されて巻テープとして外装体の内部に回転自在に保持されているため、このテープを引き出すことで、必要な枚数の絶縁パッチを容易に取り出すことができる。
【００１５】
（５）  前記外装体の内部に格納された検電器と、前記検電器を前記外装体の内部から没入させるスライダと、を備えることを特徴とする（４）に記載の収容ケース。
【００１６】
（５）の収納ケースは、絶縁作業に不可欠な検電器が外装体の内部に没入可能に格納されているため、必要に応じて検電器を使用することができる。
【００１７】
（６）  前記巻テープの回転を規制するためのストッパと、前記長尺状のテープを所望の長さで切り取るための切歯部と、を備えることを特徴とする（４）に記載の収容ケース。
【００１８】
（６）の収納ケースは、巻テープの回転を規制するためのストッパと、長尺状のテープを所望の長さで切り取るための切歯部とを備えているため、長尺状のテープを所望の長さで容易に切り取ることができる。
【発明の効果】
【００１９】
本発明によれば、電線被覆を小規模に剥がした後の電線の露出部分など、導電部分を効率よく且つ安全に絶縁することができる。
【発明を実施するための最良の形態】
【００２０】
以下、本発明を適用した具体的な実施の形態について、図面を参照しながら詳細に説明する。
【００２１】
本実施の形態における絶縁パッチは、電線被覆を小規模に剥がした後の電線の露出部分に巻くことにより、当該部分に対して絶縁処理を施すためのものである。本実施の形態における絶縁パッチの平面図を図１（Ａ）に示し、側面から見た層構造を図１（Ｂ）に示す。
【００２２】
絶縁パッチ１０は、図１（Ａ）に示すような楕円形状の小片であり、全体として伸縮性を有している。この絶縁パッチ１０の大きさは、絶縁する対象となる電線の径に依存するが、１枚で３〜６回の重ね巻きが可能な大きさが好ましい。一例として心線が２．６ｍｍ径のＩＶ電線に対して使用する場合には、例えば長軸５０ｍｍ、短軸１９ｍｍの大きさとされる。なお、絶縁パッチ１０の形状が楕円形状に限定されるものではなく、円形状、矩形状など任意の形状とすることができる。
【００２３】
また、絶縁パッチ１０は、図１（Ｂ）に示すように、表面層１１、絶縁層１２、及び粘着層１３が順に積層されてなる。
【００２４】
表面層１１は、絶縁パッチ１０を電線の露出部分に巻く際に最も外側になる層であり、伸縮性を有する。表面層１１は、難燃性の織布や難燃性の不織布等からなり、例えば難燃性ポリエステルの不織布や、繊維素材に顔料を接着できる樹脂を含侵させた難燃性ポリエステルの不織布等を利用して、文字等が印刷又は記入可能とされている。この表面層１１の厚みは、９０〜１５０μｍであることが好ましい。
【００２５】
絶縁層１２は、絶縁パッチ１０の中間の絶縁性に寄与する層であり、伸縮性を有する。絶縁層１２に使用可能な材料としては、例えばビニル、ポリエステル類（ポリエチレンテレフタレート、ポリトリメチレンテレフタレート、ポリブチレンテレフタレート、ポリエチレンナフタレート、ポリブチレンナフタレート）、ポリエチレン、ポリエーテルイミド、ポリフェニレンサルファイド、ガラスクロス、ゴム、紙、フッソ樹脂、織布、不織布、アセテート等が挙げられ、必要に応じて可塑剤等を添加してもよい。この絶縁層１２の厚みは、１８０〜３００μｍであることが好ましい。
【００２６】
粘着層１３は、絶縁パッチ１０を電線の露出部分に巻く際に最も内側になる層であり、室温でいつまでも粘着性及び伸縮性を有する。粘着層１３は、ゴム系，アクリル系，シリコーン系等の接着剤からなる。この粘着層１３の厚みは、１０〜５０μｍであることが好ましい。
【００２７】
この絶縁パッチ１０を用いて絶縁作業を行うには、例えば注意事項等の文字（図中では「アース」の文字）が表面層１１の絶縁層１２と接しない面に予め印刷された絶縁パッチ１０を所望の枚数だけ準備し、これを図２に示すように電線２０の露出部分に巻く。なお、絶縁パッチ１０に予め文字を印刷しておくのではなく、絶縁パッチ１０を電線２０の露出部分に巻いた後に文字を記入するようにしても構わない。
【００２８】
このような絶縁パッチ１０は、予め小片状に加工されているため電工ナイフ等を用いる必要がなく、狭い場所でも効率よく且つ安全に絶縁作業を行うことができる。また、絶縁パッチ１０は伸縮性を有するため、電線の露出部分を密に巻くことができる。さらに、絶縁パッチ１０の表面層１１は文字等が印刷又は記入可能とされているため、注意事項等を表示するラベルとしても使用することができ、作業上便宜である。
【００２９】
この絶縁パッチ１０は、例えば複数まとめて紙等のシートに貼付しておくこともできるが、以下に説明するように、収容ケース内に収容しておくことにより、絶縁パッチ１０を塵等から保護することができると共に、絶縁処理の作業効率を向上させることができる。本実施の形態における収容ケースの右側面図を図３（Ａ）に示し、正面図を図３（Ｂ）に示す。
【００３０】
収容ケース３０は、図３（Ａ）、（Ｂ）に示すように、内部に収容空間を有する外装体３１と、この外装体３１の内部に回転自在に保持された巻テープ３２とを備えている。この巻テープ３２は、紙やセロファンからなる長尺状のテープが巻回されたものである。このテープの短手方向の長さは、絶縁パッチ１０の幅（例えば短軸方向の長さ）よりも若干長く、長手方向に沿って絶縁パッチ１０が所定間隔毎に貼付されている。なお、このテープは、絶縁パッチ１０を容易に剥離可能とするため、絶縁パッチ１０が貼付される面に表面加工が施されている。
【００３１】
また、収容ケース３０には、巻テープ３２側に押圧することにより巻テープ３２の回転を規制することが可能なストッパ３３や、巻テープ３２から引き出されたテープを切り取るための切刃部３４も設けられている。
【００３２】
さらに、収容ケース３０の内部には、検電器（例えばネオン検電器）３５が格納されている。この検電器３５は、外装体３１に設けられたスライダ３６を図中矢印の方向にスライドさせることで、外装体３１の内部から没入させることができる。
【００３３】
この収容ケース３０を用いて絶縁作業を行うには、所望の枚数の絶縁パッチ１０が現れるまで巻テープ３２からテープを引き出し、ストッパ３３を巻テープ３２側に押圧して巻テープ３２の回転を規制する。この状態で切刃部３４によって、所望の枚数の絶縁パッチ１０が貼付されたテープ片を切り取る。そして、切り取られたテープ片から絶縁パッチ１０を剥がし、これを図２に示したように電線２０の露出部分に巻く。
【００３４】
このような収容ケース３０は、巻テープ３２が外装体３１の内部に回転自在に保持されており、ストッパ３３及び切刃部３４も設けられているため、必要な枚数の絶縁パッチ１０が貼付されたテープ片を容易に切り取ることができ、効率よく且つ安全に絶縁作業を行うことができる。また、検電器３５が没入可能に格納されているため、必要に応じて検電器３５を使用することができ、絶縁作業時の安全対策を強化することができる。
【００３５】
なお、本発明は上述した実施の形態に限定されるものではなく、本発明の要旨を変更しない範囲で種々の変更が可能であることは勿論である。
【００３６】
例えば、上述した実施の形態において、絶縁パッチは、表面層、絶縁層、及び粘着層からなるものとして説明したが、絶縁パッチに文字等を印刷又は記入しない場合には、表面層を設けなくても構わない。
【００３７】
また、上述した実施の形態では、電線被覆を小規模に剥がした後の電線の露出部分を絶縁するために絶縁パッチを使用するものとして説明したが、電線以外の導電部分を絶縁する場合にも使用可能である。
【図面の簡単な説明】
【００３８】
【図１】本実施の形態における絶縁パッチを示す図であり、同図（Ａ）は平面図を表し、同図（Ｂ）は層構造を表す。
【図２】前記絶縁パッチを用いた絶縁方法を示す図である。
【図３】本実施の形態における収容ケースを示す図であり、同図（Ａ）は右側面図を表し、同図（Ｂ）は正面図を表す。
【図４】従来の絶縁テープを用いた絶縁方法を示す図である。
【符号の説明】
【００３９】
１０  絶縁パッチ
１１  表面層
１２  絶縁層
１３  粘着層
２０  電線
３０  収容ケース
３１  外装体
３２  巻テープ
３３  ストッパ
３４  切刃部
３５  検電器
３６  スライダ
【図１】
2008053142.tif 000003
【図２】
2008053142.tif 000004
【図３】
2008053142.tif 000005
【図４】
2008053142.tif 000006